(57)【要約】【課題】かご上ダクトの内部全体を明るく、ちらつきなく照明してかご上ダクト内の点検作業を効率よく行なうことができるエレベータのかご上ダクト照明装置を提供する。【解決手段】エレベータのかごの上に設けられたかご上ダクト１と、このかご上ダクト１内に光源として設けられた冷陰極蛍光ランプ１０とを具備し、前記かご上ダクト１は、開放部４を有するダクト本体２と、前記開放部４を開閉する蓋体３とを備え、前記冷陰極蛍光ランプ１０は、前記蓋体３の開閉動作でオンオフするマイクロスイッチ１７によりその点灯・消灯が制御される。【選択図】    図４
2004203610.tif 000002
【特許請求の範囲】
【請求項１】
エレベータのかごの上に設けられたかご上ダクトと、
このかご上ダクト内に光源として設けられた冷陰極蛍光ランプと、
を具備することを特徴とするエレベータのかご上ダクト照明装置。
【請求項２】
前記かご上ダクトは、開放部を有するダクト本体と、前記開放部を開閉する蓋体とを備え、前記冷陰極蛍光ランプは、前記蓋体の開閉動作でオンオフするスイッチ機構によりその点灯・消灯が制御されることを特徴とする請求項１に記載のエレベータのかご上ダクト照明装置。
【請求項３】
前記かご上ダクト内には、前記冷陰極蛍光ランプを点灯させる点灯装置が設けられていることを特徴とする請求項１または２に記載のエレベータのかご上ダクト照明装置。
【請求項４】
前記冷陰極蛍光ランプは、かごの上に設けられている安全スイッチに対する操作に応じて点灯することを特徴とする請求項１または３に記載のエレベータのかご上ダクト照明装置。
【請求項５】
請求項１ないし４のいずれかに記載の冷陰極蛍光ランプに替えて、発光ダイオードおよび有機エレクトロルミネッセンスのうちの少なくともいずれか一方を光源として用いることを特徴とするエレベータのかご上ダクト照明装置。
【発明の詳細な説明】
【０００１】
【発明の属する技術分野】
この発明は、エレベータのかごの上に設けられたかご上ダクト内を照明する照明装置に関する。
【０００２】
【従来の技術】
一般に、建屋の昇降路内を昇降するエレベータのかごの上にはかご上ダクトが設けられ、このかご上ダクト内に各種の電気回路等のエレベータ用品が収納されている。このかご上ダクトは、開放部およびその開放部を開閉する蓋体を備えている。
【０００３】
エレベータの定期点検時等においては、作業員が昇降路内からかごの上に入り込み、各種の点検作業を行なう。この際、かご上ダクト内の点検も行なわれる。かご上ダクト内の点検の際には、前記蓋体を開けて内部を点検する。
【０００４】
建屋の昇降路内は暗く、このため点検作業時には照明用のハンドランプを用いて点検の作業を進めるようにしている。ハンドランプは片手で持つか、ダクトの近くに掛け止めてダクト内を照明する。
【０００５】
【発明が解決しようとする課題】
しかしながら、ハンドランプではかご上ダクト内の細部まで光を当てることが困難で、手狭な部分やダクト内の用品の陰になる部分を明るく照らすようなことができない。
【０００６】
ダクト内の細部にまで光を当てるために、ハンドランプを片手で持って作業すると、片手作業となり作業効率が低下する。また、作業員が移動する際、ハンドランプの電源コードが短いと作業範囲が限られてしまい、逆に長すぎると、電源コードがかごの上の用品に引っ掛かって切断等の原因となり、またハンドランプを持ったまま移動するのは足場の悪いかごの上では転倒等の危険が伴う。
【０００７】
ハンドランプをダクトの近くに掛け止めて使用するときには、光が細部にとどきにくいばかりでなく、かごの揺れにより明かりがちらつき、点検の作業がしずらくなる。
【０００８】
ハンドランプは光源が白熱ランプであり、このためその寿命が短く、往々にして点検作業中にランプのフィラメントが切れて消灯するいわゆる球切れが生じ、このような場合、作業の中断を強いられるばかりでなく、安全上の問題も起きてしまう。
【０００９】
この発明はこのような点に着目してなされたもので、その目的とするところは、かご上ダクトの内部全体を明るく、ちらつきなく照明してかご上ダクト内の点検作業を効率よく行なうことができるエレベータのかご上ダクト照明装置を提供することにある。
【００１０】
【課題を解決するための手段】
請求項１の発明は、エレベータのかごの上に設けられたかご上ダクトと、このかご上ダクト内に光源として設けられた冷陰極蛍光ランプとを具備することを特徴としている。
【００１１】
請求項２の発明は、前記かご上ダクトが、開放部を有するダクト本体と、前記開放部を開閉する蓋体とを備え、前記冷陰極蛍光ランプが、前記蓋体の開閉動作でオンオフするスイッチ機構によりその点灯・消灯が制御されることを特徴としている。
【００１２】
請求項３の発明は、前記かご上ダクト内に、前記冷陰極蛍光ランプを点灯させる点灯装置が設けられていることを特徴としている。
【００１３】
請求項４の発明は、前記冷陰極蛍光ランプが、かごの上に設けられている安全スイッチに対する操作に応じて点灯することを特徴としている。
【００１４】
請求項５の発明は、請求項１ないし４のいずれかに記載の冷陰極蛍光ランプに替えて、発光ダイオードおよび有機エレクトロルミネッセンスのうちの少なくともいずれか一方を光源として用いることを特徴としている。
【００１５】
【発明の実施の形態】
以下、この発明の一実施形態について図面を参照して説明する。
図１には、エレベータのかごの上に設けられたかご上ダクトの正面図を、図２にはその側面図を示してある。また、図３には、かご上ダクトの蓋体を開いた状態の正面図を、図４にはその断面図を示してある。
【００１６】
かご上ダクト１は、ダクト本体２と蓋体３とを備え、ダクト本体２はその前面から上面に亘る部分に開放部４を有し、この開放部４が前記蓋体３により開閉されるようになっている。前記蓋体３は断面Ｌ形をなし、その一端側の端縁がヒンジ５を介してダクト本体２の縁部に回動自在に取り付けられている。
【００１７】
ダクト本体２内の奥側下部には光源としての冷陰極蛍光ランプ１０がダクト本体２の長手方向に沿って設けられている。そして前記冷陰極蛍光ランプ１０を点灯させる点灯装置としてのインバータ１１がダクト本体２の奥側内壁面に取り付けられている。
【００１８】
前記冷陰極蛍光ランプ１０は、１〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。
【００１９】
この冷陰極蛍光ランプ１０は、陰極が加熱されることなく発光するため長寿命であり、また通常の熱陰極蛍光ランプのような点灯・消灯の回数によって寿命が左右されるようなこともなく、さらに電圧を印加すると即点灯し、発光までの時間的な遅れがないことも特徴の１つとなっている。
【００２０】
ダクト本体２内には、複数のダクト内用品１３が設置されている。また、ダクト本体２の内底面には反射板１４が設けられ、冷陰極蛍光ランプ１０の点灯による光の一部がこの反射板１４に入射して反射し、ダクト本体２の底部からその上方側に向けて放射されるようになっている。
【００２１】
ダクト本体２における開放部４の前面側下部には、前記インバータ１１に通じるスイッチ機構としてのマイクロスイッチ１７が設けられている。このマイクロスイッチ１７は、前記蓋体３の開閉に連動してオンオフするようになっている。
【００２２】
すなわち、ダクト本体２の開放部４が蓋体３で閉じられている通常時には、マイクロスイッチ１７はそのアクチュエータ１７ａが蓋体３で押圧され、オフ状態に保持されている。そして蓋体３が開かれたときに、アクチュエータ１７ａが弾性的に突出してマイクロスイッチ１７がオンし、前記インバータ１１に電源が供給され、この電源の供給に基づいてインバータ１１を介して前記冷陰極蛍光ランプ１０が点灯するように制御される。
【００２３】
かご上ダクト１内の点検時には、まず作業員が昇降路内に入り込み、かごの上に乗り込む。そして、かご上ダクト１の蓋体３を開く。この動作でマイクロスイッチ１７がオンし、インバータ１１に電源が供給され、このインバータ１１による制御で冷陰極蛍光ランプ１０が自動的に点灯する。
【００２４】
冷陰極蛍光ランプ１０の点灯による光は、ダクト本体２内の底部から上部に向って直接放射されるとともに、一部が反射板１４で反射してダクト本体２内の上方側に向けて放射され、したがってダクト本体２内の各部がその光で明るくかつちらつきなく照らされる。このため、かご上ダクト１内の点検作業を容易に能率よく行なうことができる。
【００２５】
点検作業が終了した後には、蓋体３を閉じる。この動作でマイクロスイッチ１７がオフし、冷陰極蛍光ランプ１０が自動的に消灯する。
【００２６】
冷陰極蛍光ランプ１０は、直径が１〜６ｍｍという細管であり、このため手狭なダクト本体２内であっても容易に組み込むことができ、また既設のかご上ダクト１であっても、大幅な改造を要することなく組み込むことができる。また、冷陰極蛍光ランプ１０は低発熱であるから、かご上ダクト１内の電気部品等に熱影響を及ぼすようなことがない。
【００２７】
冷陰極蛍光ランプ１０は長寿命であり、白熱ランプの場合のような点検作業中の球切れというようなことがなく、このため点検作業を効率よくかつ安全に行なえ、またランプ交換サイクルを大幅に延ばせるからその管理が容易となる。
【００２８】
冷陰極蛍光ランプ１０は、かご上ダクト１の蓋体３の開閉動作に連動して自動的に点灯・消灯し、したがって常時両手を使って効率よくかつ安全に点検作業を進めることができる。
【００２９】
また、ハンドランプの場合と異なり、引き回すような電源コードがないから、足場の悪いかごの上であっても安全に作業を進めることができる。
【００３０】
なお、前記実施形態においては、かご上ダクト内に冷陰極蛍光ランプを１本設けるようにしたが、ダクトの容量が大きいときやダクト内用品が多数設置されているような場合には、冷陰極蛍光ランプを複数本設けるようにしてもよい。
【００３１】
また、前記実施形態においては、かご上ダクトの蓋体の開閉動作に連動して冷陰極蛍光ランプを点灯・消灯させるようにしたが、かご上ダクトの内部あるいは外部に手動用のスイッチを設け、そのスイッチを手動により操作して冷陰極蛍光ランプを点灯・消灯させる構成とすることも可能である。
【００３２】
さらに、かご上ダクトの外側表面に冷陰極蛍光ランプを設け、その冷陰極蛍光ランプによる点灯で暗い昇降路内でのかご上ダクトの位置確認を容易に行なえるようにすることも可能である。
【００３３】
さらにまた、前記実施形態における反射板に替えて導光板を用いることも可能である。かご上ダクト内に設ける冷陰極蛍光ランプは、ダクト本体の内壁部にその取り付け用のスペースがない場合は、かご上ダクト内の電気部品に直接取り付けるようにしてもよい。
【００３４】
かごの上には、点検時の安全を確保するための安全スイッチが設けられ、作業員がかごの上に乗り込んだときにその安全スイッチを操作して安全を確保してから点検の作業を開始するようにしているが、その安全スイッチの操作に連動してかご上ダクト内の冷陰極蛍光ランプが自動的に点灯するように構成することも可能である。
【００３５】
前記実施形態においては、光源として冷陰極蛍光ランプを用いたが、その冷陰極蛍光ランプに替えてＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは二次元平面状等の形態にユニット化し、そのユニットをダクト本体内に組み込む。なお、１個のＬＥＤや有機ＥＬの素子を用いて棒状、リング状あるいは二次元平面状等に構成することも可能である。
【００３６】
ダクト本体内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００３７】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプをダクト本体内に組み込んでダクト上照明装置として構成することも可能である。
【００３８】
なお、ＬＥＤや有機ＥＬを発光させる手段としては、従来一般に使用されている駆動制御装置を用いることは言うまでもない。
【００３９】
【発明の効果】
以上説明したようにこの発明のかご上ダクト照明装置によれば、かご上ダクトの内部全体を明るく、ちらつきなく照明してかご上ダクト内の点検作業を効率よく行なうことができる。
【図面の簡単な説明】
【図１】この発明の一実施形態を示すかご上ダクトの正面図。
【図２】この発明の一実施形態を示すかご上ダクトの側面図。
【図３】この発明の一実施形態を示すかご上ダクトの蓋体開放状態の正面図。
【図４】この発明の一実施形態を示すかご上ダクトの蓋体開放状態の断面図。
【符号の説明】
１…かご上ダクト
２…ダクト本体
３…蓋体
４…開放部
５…ヒンジ
１０…冷陰極蛍光ランプ
１１…インバータ
１３…ダクト内用品
１４…反射板
１７…マイクロスイッチ
【図１】
2004203610.tif 000003
【図２】
2004203610.tif 000004
【図３】
2004203610.tif 000005
【図４】
2004203610.tif 000006